(57)【要約】【課題】ドラフトチューブの装着に際してアンカーボルトを必要とせず、また、ドラフトチューブの取替え時においても槽内水の抜き取りを必要とせず、攪拌機を容易且つ迅速に槽内へ降下させ得ると共に槽上への引揚げも迅速且つ容易に行われて施工の作業性およびメンテナンス性に優れた、水処理槽内における竪型水中攪拌装置およびそのドラフトチューブ取付け構造の提供。【解決手段】水処理槽１上より導下された縦杆４によってドラフトチューブ５を水処理槽１内に支承させ、ドラフトチューブ５の上端に攪拌機収容筒６を接続させる。そして竪型水中モータ８の軸下端にプロペラ９を装着した攪拌機７を縦杆４により昇降自在に支承させ、該攪拌機７が攪拌機収容筒６内へ装脱自在に嵌装されるよう構成した。【選択図】        図１
2004321956.tif 000002
【特許請求の範囲】
【請求項１】
水処理槽上のフロアーに開設された導下口より導下された縦杆によって竪型のドラフトチューブを水処理槽内に支承させ、ドラフトチューブの上端開口部と導通する攪拌機収容筒をドラフトチューブの上端縁に接続させ、竪型水中モータのモータ軸下端にプロペラを装着した攪拌機を縦杆により昇降自在に支承させ、該攪拌機が攪拌機収容筒内へ装脱自在に嵌装されるよう構成したことを特徴とする、水処理槽内における竪型水中攪拌装置。
【請求項２】
水処理槽上のフロアーに開設された導下口より導下された縦杆によって竪型のドラフトチューブを水処理槽内に支承させ、ドラフトチューブの上端開口部と導通する攪拌機収容筒をドラフトチューブの上端縁に接続させたことを特徴とする、水処理槽内における竪型水中攪拌装置のドラフトチューブ取付け構造。
【発明の詳細な説明】
【０００１】
【発明の技術分野】
本発明は、嫌気性の水処理槽内における竪型水中攪拌装置およびそのドラフトチューブ取付け構造に関するものである。
【０００２】
【従来の技術】
従来、水中攪拌装置のドラフトチューブは、槽底に据付けられているのが一般的である（例えば、特許文献１参照）。また、整流板固定用支持柱の下方余端部を利用してドラフトチューブを定着させた非昇降型のものも存在する（例えば、特許文献２参照）。
【０００３】
【特許文献１】
特開平１１−３４２４００号公報  （第７図）
【特許文献２】
特開２０００−２８８５６８号公報  （第２図）
【０００４】
【発明が解決しょうとする課題】
特許文献１記載の装置のように、ドラフトチューブ１を固定脚３によって槽底へ据付けるには、アンカーボルトの打設等が必要となる。しかし水処理槽の槽底は汚水の漏水を防止するため、防水シート等のシール材を敷設した上からコンククリート打ちが施されている。従って既設の処理槽への後施工によって槽底へのアンカーボルトの打設等は、防水シート等のシール材を損傷して漏水事故の要因となる。また、特許文献１記載の装置では、ドラフトチューブ１の取替え時には槽内の汚水を抜き取らなければならず、メンテナンスの面においても問題がある。
【０００５】
特許文献２記載の装置では、槽上に設置された電動機２４から槽内へシャフト２５を導下して該シャフト２５の槽内導下部へ回転翼２７を装着すると共に、該回転翼２７を包囲するドラフトチューブ５は槽上から導下された支持柱２０に定着されているため、アンカーボルトの打設等による槽底の防水損傷という問題を生じることはない。しかし回転翼２７やシャフト２５の昇降機構を有しないため、機器の設置や引揚げに多大の労力を費やすことになり、施工およびメンテナスの両面において問題である。
【０００６】
本発明の目的は、ドラフトチューブの装着に際して槽底へのアンカーボルトの打設等を必要とせず、既設の処理槽への後施工においても槽底を何ら損傷させることなく、また、ドラフトチューブの取替え時においても槽内水の抜き取りを必要とせず、攪拌機を容易且つ迅速に槽内へ降下させ得ると共に槽上への引揚げも迅速且つ容易に行われて施工の作業性およびメンテナンス性に優れた、水処理槽内における竪型水中攪拌装置およびそのドラフトチューブ取付け構造を提供することにある。
【０００７】
【問題を解決するための手段】
本発明に係る水処理槽内における竪型水中攪拌装置では、水処理槽上のフロアーに開設された導下口より導下された縦杆によって竪型のドラフトチューブを水処理槽内に支承させ、ドラフトチューブの上端開口部と導通する攪拌機収容筒をドラフトチューブの上端縁に接続させ、竪型水中モータのモータ軸下端にプロペラを装着した攪拌機を縦杆により昇降自在に支承させ、該攪拌機が攪拌機収容筒内へ装脱自在に嵌装されるよう構成した。
【０００８】
また、本発明に係る水処理槽内における竪型水中攪拌装置のドラフトチューブ取付け構造では、水処理槽上のフロアーに開設された導下口より導下された縦杆によって竪型のドラフトチューブを水処理槽内に支承させ、ドラフトチューブの上端開口部と導通する攪拌機収容筒をドラフトチューブの上端縁に接続させる。
【０００９】
【発明の実施の態様】
以下図１ないし図４の実施例により説明をする。
【００１０】
１は嫌気性の水処理槽、２は水処理槽１上を覆うフロアー、３はフロアー２に開設された導下口、４・・４は導下口３の周縁部より水処理槽１内へ導下された縦杆であり、例えば後記ドラフトチューブ５や攪拌機収容筒６を支承する支持系の外側縦杆４Ａ・・４Ａと、攪拌機７を昇降自在に支承するガイド系の内側縦杆４Ｂとで構成されるが、外側縦杆４Ａと内側縦杆４Ｂとは必ずしも別体構造であることを要せず、それぞれの機構を果し得る構造であれば一体構造で作られてもよい。５は外側縦杆４Ａ・・４Ａによって水処理槽１内へ定着支承されたドラフトチューブであり、その上端開口部外周はフランジ部５Ｆを介して外側縦杆４Ａ・・４Ａの下端部に接続され、下端開口部は水処理槽１内の所定位置に開口される。６はドラフトチューブ５の上端開口部と導通するようその上端縁に接続された攪拌機収容筒であり、その上端開口周縁部は整流板（図示せず）の支承座に形成されている。７は竪型水中モータ８のモータ軸下端にプロペラ９を装着した攪拌機、１０はプロペラ９の外周を囲繞するガイドリングであり、内側縦杆４Ｂ・・４Ｂによる攪拌機７の支承態様としては、例えば、ガイドリング１０の外周面要所に凹設された窩所４Ｃ・・４Ｃを内側縦杆４Ｂ・・４Ｂに係合させるなど、攪拌機７側に付設された係合機構が縦杆４・・４に係合することにより、攪拌機７が縦杆４・・４に沿って上下に昇降自在に支承されるよう構成する。１１は竪型水中モータ８の上端面中心部に接続された吊下げ用チェーンであり、手動または自動巻上げ機構（図示せず）を操作することで攪拌機７が攪拌機収容筒６内へ装脱自在に嵌装される。
【００１１】
【発明の効果】
本発明によれば、ドラフトチューブの装着に際して槽底へのアンカーボルトの打設等を必要とせず、既設の処理槽への後施工においても槽底を何ら損傷させることなく、また、ドラフトチューブの取替え時においても槽内水の抜き取りを必要とせず、攪拌機を容易且つ迅速に槽内へ降下させ得ると共に槽上への引揚げも迅速且つ容易に行われて施工の作業性およびメンテナンス性に優れた、水処理槽内における竪型水中攪拌装置およびそのドラフトチューブ取付け構造を提供することができる。
【図面の簡単な説明】
【図１】本発明装置の構成図である。
【図２】図１の要部拡大図である。
【図３】本発明装置における攪拌機側係合機構と縦杆との係合事例を示した要部横断平面図である。
【図４】本発明取付け構造の構成図である。。
【符号の説明】
１        水処理槽
２        フロアー
３        導下口
４        縦杆
５        ドラフトチューブ
６        攪拌機収容筒
７        攪拌機
８        竪型水中モータ
９        プロペラ
【図１】
2004321956.tif 000003
【図２】
2004321956.tif 000004
【図３】
2004321956.tif 000005
【図４】
2004321956.tif 000006